(57)【特許請求の範囲】
【請求項１】
ユーザが操作するポインティングデバイスと、
放射線を照射対象に照射するときの前記照射対象における座標と、当該座標における放射線量と、の関係を示す放射線量データを取得する放射線量データ取得部と、
前記ポインティングデバイスに対するユーザの互いに異なる方向へのスライド操作に基づいて変更される、ディスプレイに表示する前記放射線量の上限値及び下限値からなる表示レンジを取得する表示レンジ取得部と、
前記表示レンジ取得部が取得した前記上限値と前記下限値との間の放射線量を、予め定めた数の範囲に分割し、分割した各範囲の前記放射線量に対して、互いに異なる色を割り当てる色決定部と、
各座標に照射される前記放射線量に割り当てられた色を、前記ディスプレイの当該座標に表示する制御を行う表示制御部と、を有し、
前記表示レンジ取得部が取得する前記表示レンジは、前記ポインティングデバイスに対して、前記ディスプレイの横方向及び縦方向のいずれか１方へのスライド操作により前記上限値が変更され、前記横方向及び前記縦方向の他方へのスライド操作により前記下限値が変更される、
放射線量表示装置。
【請求項２】
前記表示制御部は、前記上限値に最も近い範囲に割り当てられた色を、前記上限値以上の放射線量の座標に表示する、
請求項１に記載の放射線量表示装置。
【請求項３】
前記照射対象の断層撮影画像を表示する断層撮影画像表示部を更に備え、
前記表示制御部は、前記断層撮影画像に重畳して、前記放射線量に対応する色を表示する、
請求項１又は２に記載の放射線量表示装置。
【請求項４】
前記表示制御部は、前記色決定部が決定した色を付した矩形を前記放射線量の多い順に一方向に配列し、各色に割り当てられた前記放射線量の範囲の境界値を少なくとも一部表示させた表示スケールバーを更に表示する、
請求項１乃至３のいずれか１項に記載の放射線量表示装置。
【請求項５】
シミュレーション又は実測により予め得られた、前記放射線量データを記憶する記憶部を更に有し、
前記放射線量データ取得部は前記記憶部から前記放射線量データを取得し、
前記ポインティングデバイスに対するユーザの前記スライド操作を検出したときに、前記スライド操作に基づいて、前記表示レンジ取得部は前記表示レンジを取得し、前記色決定部は前記表示レンジを分割した各範囲の前記放射線量に対して互いに異なる色を割り当て、前記表示制御部は前記放射線量に割り当てられた色を前記ディスプレイの各座標に表示する制御を行う、
請求項１乃至４のいずれか１項に記載の放射線量表示装置。
【請求項６】
放射線を照射対象に照射するときの前記照射対象における座標と、当該座標における放射線量と、の関係を示す放射線量データを取得する放射線量データ取得ステップと、
ポインティングデバイスに対するユーザの互いに異なる方向へのスライド操作に基づいて変更される、ディスプレイに表示する前記放射線量の上限値及び下限値からなる表示レンジを取得する表示レンジ取得ステップと、
前記表示レンジ取得ステップで取得した前記上限値と前記下限値との間の放射線量を、予め定めた数の範囲に分割し、分割した各範囲の前記放射線量に対して、互いに異なる色を割り当てる色決定ステップと、
各座標に照射される前記放射線量に割り当てられた色を、前記ディスプレイの当該座標に表示する制御を行う表示制御ステップと、を有し、
前記表示レンジ取得ステップで取得する前記表示レンジは、前記ポインティングデバイスに対して、前記ディスプレイの横方向及び縦方向のいずれか１方へのスライド操作により前記上限値が変更され、前記横方向及び前記縦方向の他方へのスライド操作により前記下限値が変更される、
放射線量表示方法。
【請求項７】
コンピュータを、
放射線を照射対象に照射するときの前記照射対象における座標と、当該座標における放射線量と、の関係を示す放射線量データを取得する放射線量データ取得部、
ポインティングデバイスに対するユーザの互いに異なる方向へのスライド操作に基づいて変更される、ディスプレイに表示する前記放射線量の上限値及び下限値からなる表示レンジを取得する表示レンジ取得部、
前記表示レンジ取得部が取得した前記上限値と前記下限値との間の放射線量を、予め定めた数の範囲に分割し、分割した各範囲の前記放射線量に対して、互いに異なる色を割り当てる色決定部、
各座標に照射される前記放射線量に割り当てられた色を、前記ディスプレイの当該座標に表示する制御を行う表示制御部、
として機能させるプログラムであって、
前記表示レンジ取得部が取得する前記表示レンジは、前記ポインティングデバイスに対して、前記ディスプレイの横方向及び縦方向のいずれか１方へのスライド操作により前記上限値が変更され、前記横方向及び前記縦方向の他方へのスライド操作により前記下限値が変更される、
ことを特徴とするプログラム。
【発明の詳細な説明】
【技術分野】
【０００１】
本発明は、放射線量の分布を表示する放射線量表示装置、放射線量表示方法及びプログラムに関する。
【背景技術】
【０００２】
放射線治療（Radiation Therapy: RT）を有効に行うために、治療対象に対して照射する放射線量を実測し、又は、治療前に放射線照射のシミュレーションを行う場合がある。例えば、治療対象体の外周の複数の方向から放射線を照射させる場合の、治療対象体内部の放射線量の分布を実測又はシミュレーションする。
【０００３】
このとき、治療対象体の診断用Ｘ線ＣＴ（Computed Tomography：コンピュータ断層撮影）の画像に、実測又はシミュレーション結果の放射線量の分布を重ね合わせて表示することにより、治療対象部位に正確に放射線が照射されていることを確認することができるシステムが提案されている（例えば、特許文献１）。
【０００４】
特許文献１に記載の放射線治療情報提供システムは、放射線治療中に治療放射線の散乱光を検出器で検出して取得した散乱線量データを、吸収線量データに変換し、吸収線量の画像を生成する。生成された吸収線の量画像は、ＣＴ画像と合成されて表示されるため、治療対象部位に対する放射線照射量を明確に表示することができると説明されている。
【先行技術文献】
【特許文献】
【０００５】
【特許文献１】特開２００９−１４８４９５号公報
【発明の概要】
【発明が解決しようとする課題】
【０００６】
放射線治療において、放射線を照射する治療対象部位が所定の広さを有している場合がある。この場合、その部位全体に効率的に放射線を照射できるように、放射線照射器の出力強度、照射方向を最適化する必要がある。また、放射線照射による他の部位への影響も考慮する必要がある。
【０００７】
ここで、治療対象部位へ正確に照射されていることを確認する用途や、他の部位への影響を確認する用途等の各用途に応じて放射線量の最適な表示レンジ（範囲）が異なる。
【０００８】
特許文献１に示すような、治療対象体内部の放射線量の分布を実測又はシミュレーションした結果を表示する放射線量表示装置は、各用途に応じて、放射線量の表示レンジを容易に変更できる機能があるのが望ましいが、従来の表示装置はそのような機能を有するものがないか、または操作性が低いものであった。
【０００９】
本発明は、上記実情に鑑みてなされたものであり、放射線量分布を表示する際に簡便な操作で表示レンジを変更することのできる放射線量表示装置等を提供することを目的とする。
【課題を解決するための手段】
【００１０】
上記目的を達成するため、本発明の第１の観点に係る放射線量表示装置は、
ユーザが操作するポインティングデバイスと、
放射線を照射対象に照射するときの前記照射対象における座標と、当該座標における放射線量と、の関係を示す放射線量データを取得する放射線量データ取得部と、
前記ポインティングデバイスに対するユーザの互いに異なる方向へのスライド操作に基づいて変更される、ディスプレイに表示する前記放射線量の上限値及び下限値からなる表示レンジを取得する表示レンジ取得部と
前記表示レンジ取得部が取得した前記上限値と前記下限値との間の放射線量を、予め定めた数の範囲に分割し、分割した各範囲の前記放射線量に対して、互いに異なる色を割り当てる色決定部と、
各座標に照射される前記放射線量に割り当てられた色を、前記ディスプレイの当該座標に表示する制御を行う表示制御部と、を有し、
前記表示レンジ取得部が取得する前記表示レンジは、前記ポインティングデバイスに対して、前記ディスプレイの横方向及び縦方向のいずれか１方へのスライド操作により前記上限値が変更され、前記横方向及び前記縦方向の他方へのスライド操作により前記下限値が変更されることを特徴とする。
【００１２】
前記表示制御部は、前記上限値に最も近い範囲に割り当てられた色を、前記上限値以上の放射線量の座標に表示するようにしてもよい。
【００１４】
前記照射対象の断層撮影画像を表示する断層撮影画像表示部を更に備え、
前記表示制御部は、前記断層撮影画像に重畳して、前記放射線量に対応する色を表示するようにしてもよい。
【００１５】
前記表示制御部は、前記色決定部が決定した色を付した矩形を前記放射線量の多い順に一方向に配列し、各色に割り当てられた前記放射線量の範囲の境界値を少なくとも一部表示させた表示スケールバーを更に表示するようにしてもよい。
また、シミュレーション又は実測により予め得られた、前記放射線量データを記憶する記憶部を更に有し、
前記放射線量データ取得部は前記記憶部から前記放射線量データを取得し、
前記ポインティングデバイスに対するユーザの前記スライド操作を検出したときに、前記スライド操作に基づいて、前記表示レンジ取得部は前記表示レンジを取得し、前記色決定部は前記表示レンジを分割した各範囲の前記放射線量に対して互いに異なる色を割り当て、前記表示制御部は前記放射線量に割り当てられた色を前記ディスプレイの各座標に表示する制御を行うようにしてもよい。
【００１６】
また、本発明の第２の観点に係る放射線量表示方法は、
放射線を照射対象に照射するときの前記照射対象における座標と、当該座標における放射線量と、の関係を示す放射線量データを取得する放射線量データ取得ステップと、
ポインティングデバイスに対するユーザの互いに異なる方向へのスライド操作に基づいて変更される、ディスプレイに表示する前記放射線量の上限値及び下限値からなる表示レンジを取得する表示レンジ取得ステップと、
前記表示レンジ取得ステップで取得した前記上限値と前記下限値との間の放射線量を、予め定めた数の範囲に分割し、分割した各範囲の前記放射線量に対して、互いに異なる色を割り当てる色決定ステップと、
各座標に照射される前記放射線量に割り当てられた色を、前記ディスプレイの当該座標に表示する制御を行う表示制御ステップと、を有し、
前記表示レンジ取得ステップで取得する前記表示レンジは、前記ポインティングデバイスに対して、前記ディスプレイの横方向及び縦方向のいずれか１方へのスライド操作により前記上限値が変更され、前記横方向及び前記縦方向の他方へのスライド操作により前記下限値が変更されることを特徴とする。
【００１７】
また、本発明の第３の観点に係るプログラムは、
コンピュータを、
放射線を照射対象に照射するときの前記照射対象における座標と、当該座標における放射線量と、の関係を示す放射線量データを取得する放射線量データ取得部、
ポインティングデバイスに対するユーザの互いに異なる方向へのスライド操作に基づいて変更される、ディスプレイに表示する前記放射線量の上限値及び下限値からなる表示レンジを取得する表示レンジ取得部、
前記表示レンジ取得部が取得した前記上限値と前記下限値との間の放射線量を、予め定めた数の範囲に分割し、分割した各範囲の前記放射線量に対して、互いに異なる色を割り当てる色決定部、
各座標に照射される前記放射線量に割り当てられた色を、前記ディスプレイの当該座標に表示する制御を行う表示制御部、
として機能させるプログラムであって、
前記表示レンジ取得部が取得する前記表示レンジは、前記ポインティングデバイスに対して、前記ディスプレイの横方向及び縦方向のいずれか１方へのスライド操作により前記上限値が変更され、前記横方向及び前記縦方向の他方へのスライド操作により前記下限値が変更されることを特徴とする。
【発明の効果】
【００１８】
本発明によれば、放射線量分布を表示する際に簡便な操作で表示レンジを変更することが可能になる。
【図面の簡単な説明】
【００１９】
【図１】実施の形態に係る放射線量表示装置を示すブロック図である。
【図２】ディスプレイに表示するＣＴ画像の例を示す図である。
【図３】実施の形態１に係るＣＴ画像及び放射線量分布画像の例を示す図である。
【図４】ユーザのスライド操作を説明するための図である。
【図５】放射線量表示処理のフローチャートである。
【図６】実施の形態１に係るＣＴ画像及び放射線量分布画像の例を示す図である。
【図７】実施の形態２に係るＣＴ画像及び放射線量分布画像の例を示す図である。
【発明を実施するための形態】
【００２０】
（実施の形態１）
以下、本発明の実施の形態について図面を参照して詳細に説明する。
【００２１】
図１に示す本実施の形態に係る放射線量表示装置１０は、ＣＴ画像（コンピュータ断層撮影画像）及び放射線量分布画像等を表示するものであり、スマートフォン、タブレット型端末、パソコン等の情報端末により構成される。本実施の形態では、画面に接触することで操作入力する情報端末の場合について説明する。放射線量表示装置１０は、図１に示すように、ＣＰＵ（Central Processing Unit：中央処理装置）１１０、記憶部１２０、タッチスクリーン１３０を備える。
【００２２】
記憶部１２０は、フラッシュメモリ等の読み書き可能な不揮発性の半導体メモリ等から構成される。記憶部１２０には、ＣＴ画像データや放射線量データ等の各種データが記憶される。その他、記憶部１２０には、ＣＰＵ１１０が実行する制御プログラムも記憶される。
【００２３】
タッチスクリーン１３０は、図形、文字、記号等の情報表示出力を行うディスプレイ１３１と、ディスプレイ１３１の表示面上に備えられたタッチパッド１３２と、から構成される。ディスプレイ１３１は、例えば、ＬＣＤ（Liquid Crystal Display）等の表示デバイスから構成される。タッチパッド１３２は、操作者がタッチパッド１３２の表面に指等を接触し移動することによる選択、スライド、スクロール等の操作入力を検出するポインティングデバイスである。タッチパッド１３２は検出した操作入力に係る信号をＣＰＵ１１０に出力する。
【００２４】
ディスプレイ１３１に表示する画像の一例を図２に示す。この例では、治療対象体が人体であるときの３方向のＣＴ画像２１１、２１２、２１３を並置して表示する。ディスプレイ１３１には、放射線量（ＤＯＳＥ）の分布を表示するか否かを切り替える表示切替スイッチ２０１も表示している。図２は、表示切替スイッチ２０１をＯＦＦにして、放射線量の分布を非表示にした状態を示している。
【００２５】
また、放射線量のレベルと表示色の関係を示した表示スケールバー２０２も表示している。表示スケールバー２０２は、色決定部１１３が決定した色を付した矩形を放射線量の多い順に一方向に配列し、各色に割り当てられた放射線量の範囲の境界値を少なくとも一部表示させたものである。なお、図２において表示スケールバー２０２は、塗りつぶしのパターンを互いに変えた矩形を配列したものを示しているが、実際の表示スケールバー２０２は互いに異なる色の矩形を配列したものである。
【００２６】
表示切替スイッチ２０１をＯＮにして、放射線量の分布を表示した状態を図３に示す。このときの放射線量のデータは、例えば、３方向それぞれから放射線を照射したときの各放射線量を、３次元座標毎に積算したものである。表示スケールバー２０２の放射線量のレベルと表示色の関係に則って、各３次元座標における放射線量に対応する色を表示する。３方向から放射線を照射し、治療対象部位２１５で放射線量が最も多くなっている様子を把握することができる。
【００２７】
ＣＰＵ１１０は、記憶部１２０に記憶されている制御プログラムを実行することにより、情報処理、機器制御等を行う。ＣＰＵ１１０は、本実施の形態に係る放射線量表示処理のプログラムを実行することにより、データ取得部１１１、表示レンジ取得部１１２、色決定部１１３、表示制御部１１４の各機能部として機能する。
【００２８】
データ取得部１１１は、記憶部１２０より放射線量データを取得する。放射線量データは、治療対象体における３次元座標と、当該３次元座標における放射線量の値からなる。放射線量データは、実測により得られるデータ又はシミュレーションにより得られるデータである。
【００２９】
実測のデータは、散乱光データから算出する手法等、従来の手法により実測して得られるデータである。一方、シミュレーションのデータは、治療対象体に放射線を照射する放射線照射器の出力強度及び照射器の位置及び方向からシミュレーションして得られるデータである。
【００３０】
表示レンジ取得部１１２は、タッチパッド１３２が検出した操作者の操作入力に基づいて、放射線量の表示レンジを取得する。表示レンジは、ディスプレイ１３１に表示する放射線量の上限値と下限値で示される表示範囲である。
【００３１】
表示レンジは、操作者が簡単に操作することにより変更可能であることが望ましい。本実施の形態では、図４に示すように、タッチパッド１３２上に置いた指等を第１方向（画面横方向：Ｘ方向）にスライドさせる操作で上限値を変更し、第２方向（画面縦方向：Ｙ方向）にスライドさせる操作で下限値を変更する。指等をスライド開始させる位置は、ディスプレイ１３１の表示画面内の任意の位置でよく、スライドした距離に応じて上限値又は下限値を変える。
【００３２】
色決定部１１３は、データ取得部１１１が取得した放射線量データと、表示レンジ取得部１１２が取得した表示レンジに基づいて、各３次元座標に表示する色を決定する。まず、表示レンジの上限値と下限値との間の放射線量を予め定めた数の範囲に分割し、分割した放射線量の各範囲に互いに異なる色を割り当てる。そして、各３次元座標の放射線量に対応する色を決定する。
【００３３】
表示制御部１１４は、色決定部１１３で決定した各３次元座標の放射線量に対応する色を表示するようにディスプレイ１３２に制御信号を出力する。ここで、図４において、各色（塗りつぶしパターン）を付した矩形を並置して表しているが、これは色の変化をわかりやすくするために矩形の大きさを大きくしたものである。実際は、微細な画素に色を付すため色の境界を連続的に表すことができる。
【００３４】
以上のように構成された放射線量表示装置１０の動作について、図５に示すフローチャートに沿って説明する。
【００３５】
ＣＰＵ１１０が実行する放射線量表示処理は、表示切替スイッチ２０１がＯＮになっているときに実行される。
【００３６】
まず、表示レンジ取得部１１２が、表示レンジの上限値と下限値の初期値を記憶部１２０から取得する（ステップＳ１０１）。色決定部１１３は、取得した上限値と下限値の差を表示色数のＮで分割し、分割したそれぞれの放射線量の範囲に色を割り当てる（ステップＳ１０２）。例えば表示色数Ｎは２５６階調等でもよい。
【００３７】
表示制御部１１４は、表示スケールバー２０２に色を変える境界値である放射線量の値とステップＳ１０２で各範囲に割り当てた色を表示する（ステップＳ１０３）。また、データ取得部１１１が記憶部１２０から取得した放射線量と３次元座標のデータに基づいて、表示制御部１１４は、各３次元座標の放射線量に割り当てられた色をそれぞれの３次元座標に表示し、放射線量分布の画像を表示する（ステップＳ１０４）。
【００３８】
ここで、放射線量が上限値を超えている３次元座標には、上限値に最も近い範囲に割り当てられた色を表示する。一方、放射線量が下限値を下回っている３次元座標には、色を表示しない。
【００３９】
放射線量分布を表示している状態において、タッチパッド１３２がユーザによるスライド操作を検出するまで待機する。スライド操作がない場合は（ステップＳ１０５：Ｎｏ）、表示切り替えスイッチがＯＮである限り（ステップＳ１０６：Ｙｅｓ）、スライド操作を検出するまで待機する（ステップＳ１０５）。
【００４０】
タッチパッド１３２がスライド操作を検出したとき（ステップＳ１０５：Ｙｅｓ）、スライドの方向を判別し（ステップＳ１０７）、第１方向（例えばＸ方向）へのスライドであった場合には（ステップＳ１０７：Ｘ）、上限値を変更する（ステップＳ１０８）。一方、第２方向（例えばＹ方向）へのスライドであった場合には（ステップＳ１０７：Ｙ）、下限値を変更する（ステップＳ１０９）。
【００４１】
その後、ステップＳ１０２に戻り、再度放射線量の範囲に対して色の割り当てを行い（ステップＳ１０２）、表示スケールバー２０２と放射線量分布に色の表示を行う（ステップＳ１０３、Ｓ１０４）。
【００４２】
以上のような放射線量表示処理を実行することにより、実測又はシミュレーションにより得られる放射線量の分布を様々な表示レンジで表示することができる。ユーザは表示された放射線量の分布により様々な情報を得ることができる。
【００４３】
図３のように第２方向に指等をスライドさせることで放射線量（ＤＯＳＥ）の下限値を低く設定した場合、少量の放射線を受けている箇所を知ることができる。また、放射線照射器の放射線の照射方向を特定することができる。
【００４４】
また、第１方向に指等をスライドさせて上限値を予め定めた所定値に設定することで、所定値以上の放射線が照射されている領域を特定することができる。
【００４５】
また、図６のように、第２方向に指等をスライドさせることで放射線量の下限値を高めに設定し、第１方向に指等をスライドさせることで放射線量の上限値を高めに設定した場合、放射線量が最も高い位置を特定することができる。その放射線量が最も高い位置を治療対象部位の中心に合わせるようにすることで、放射線照射器の放射線照射方向の設定を容易にすることができる。
【００４６】
このように、第１方向、第２方向に指等をスライドさせるという簡便な操作のみで、様々な視点から放射線治療の最適化を行うことができる。
【００４７】
以上説明したように、本実施の形態では、データ取得部１１１が３次元座標と当該３次元座標における放射線量からなる放射線量データを取得し、表示レンジ取得部１１２がディスプレイ１３１に表示する放射線量の上限値及び下限値を取得する。そして、色決定部１１３が上限値及び下限値の間の放射線量を複数の範囲に分割し、各範囲に表示する色を決定し、表示制御部１１４が決定した色を各３次元座標に表示する。このとき放射線量の上限値及び下限値は、ユーザがタッチパッド１３２に対して第１方向にスライドすることにより上限値を変更し、第２方向にスライドすることにより下限値を変更することとした。これにより、簡便な操作で多様な表示レンジで放射線量分布を表示することができる。
【００４８】
（実施の形態２）
本発明の実施の形態２について図面を参照して詳細に説明する。
【００４９】
本実施の形態に係る放射線量表示装置１０は、実施の形態１と同様の構成に加えて、図７に示すような操作切替スイッチ２０３を更にディスプレイ１３１に表示する。操作切替スイッチ２０３は、スライド操作がＣＴ画像の表示に対する操作か、又は、放射線量分布の表示に対する操作か、を切り替えるスイッチである。
【００５０】
操作切替スイッチ２０３が「ＲＴ」つまり放射線量分布の表示の方を選択している場合は、実施の形態１で説明した放射線量表示処理を実行する。
【００５１】
一方、操作切替スイッチ２０３が「ＣＴ」つまりＣＴ画像の表示の方を選択している場合は、ユーザのスライド操作に基づき、従来のＣＴ画像のＷＬ（Window Level）、ＷＷ（Window Width）の変更を行う。
【００５２】
ＣＴ画像はグレースケールで表示し、例えば２５６階調の濃度スケールで表示する。ユーザがタッチパッド１３２に対して第１方向のスライド操作を行うことにより、ＣＴ値の中心レベル（ＷＬ値）の選択を行い、選択した中心レベルを濃度スケールの中心に設定する。また、ユーザが第２方向のスライド操作を行うことにより、ＣＴ値の表示幅（ＷＷ値）の選択を行い、選択した表示幅を濃度スケールの全幅に対応させる。
【００５３】
このとき、ＣＴ値とグレースケールを対応づけた濃度スケールバー２０４を表示してもよい。
【００５４】
以上説明したように、本実施の形態では、操作切替スイッチ２０３を更に備え、操作切替スイッチ２０３の切り替えにより放射線量分布の表示を選択したときは、スライド操作により放射線量分布の表示レンジを変更することとし、ＣＴ画像の表示を選択したときは、スライド操作によりＣＴ値の濃度スケールを変更することとした。これにより、放射線量分布もＣＴ画像もスライド操作という簡便な操作により表示レンジを任意に変更することができる。
【００５５】
このように本発明は、放射線を照射対象に照射するときの照射対象における座標と、当該座標における放射線量と、の関係を示す放射線量データを取得し、ポインティングデバイスに対するユーザの操作によって変更可能な、ディスプレイに表示する放射線量の範囲を示す表示レンジを取得する。そして、取得した表示レンジ内の放射線量を、予め定めた数の範囲に分割し、分割した各範囲の放射線量に対して互いに異なる色を割り当て、各放射線量の放射線が照射される座標に割り当てられた色を表示することとした。これにより、放射線量分布を表示する際に、簡便な操作で表示レンジを変更することが可能になる。
【００５６】
なお、本発明は、上記実施の形態に限定されず、本発明の要旨を逸脱しない範囲での種々の変更は勿論可能である。
【００５７】
例えば、上記実施の形態において、タッチパッド１３１を備えた情報端末において、指等のスライド操作に応じて放射線量の上限値及び下限値を変更するとしたが、放射線量表示装置１０がマウス等の他のポインティングデバイスを備えた情報端末の場合は、ポインティングデバイスの操作によるポインタの第１方向又は第２方向への移動に基づいて、放射線量の上限値又は下限値を変更するようにしてもよい。
【００５８】
また、第１方向（Ｘ方向）のスライドで放射線量の上限値又はＣＴ値のＷＬ値を変更することとし、第２方向（Ｙ方向）のスライドで放射線量の下限値又はＣＴ値のＷＷ値を変更することとしたが、スライド方向は互いに判別できる２方向であれば、Ｘ方向、Ｙ方向に限られない。例えば、左下から右上に向かう方向と左上から右下に向かう方向でもよい。
【００５９】
また、第１方向のスライドで放射線量の上限値を変更することとし、第２方向のスライドで放射線量の下限値を変更することとしたが、ＣＴ画像の操作と同様に、第１方向又は第２方向のスライドで、表示する放射線量の中央値（ＷＬ値）又は表示幅（ＷＷ値）を変更するようにしてもよい。
【００６０】
また、実施の形態２において、操作切替スイッチ２０３によって放射線量の表示とＣＴ画像の表示のいずれか一方を選択し、スライド操作による表示レンジ又は濃度スケールの変更を行うこととしたが、互いに判別できる４方向で、放射線量の表示レンジとＣＴ画像の濃度スケールを変更するようにしてもよい。
【００６１】
また、上記実施の形態のＣＰＵ１１０が実行するプログラムを、既存のスマートフォンやタブレット端末等の情報端末に適用することで、当該端末を本発明に係る放射線量表示装置１０として機能させることも可能である。
【００６２】
このようなプログラムの配布方法は任意であり、例えば、ＣＤ−ＲＯＭ（Compact Disc Read-Only Memory）、ＤＶＤ（Digital Versatile Disc）、ＭＯ（Magneto Optical Disc）、メモリカード等のコンピュータ読み取り可能な記録媒体に格納して配布してもよいし、携帯電話網やインターネット等の通信ネットワークを介して配布してもよい。
【符号の説明】
【００６３】
１０…放射線量表示装置
１１０…ＣＰＵ
１１１…データ取得部
１１２…表示レンジ取得部
１１３…色決定部
１１４…表示制御部
１２０…記憶部
１３０…タッチスクリーン
１３１…タッチパッド
１３２…ディスプレイ
２０１…表示切替スイッチ
２０２…表示スケールバー
２１１、２１２、２１３…ＣＴ画像
２０３…操作切替スイッチ
２０４…濃度スケールバー
２１５…治療対象部位
【要約】
【課題】放射線量分布を表示する際に簡便な操作で表示レンジを変更することのできる放射線量表示装置等を提供する。
【解決手段】データ取得部１１１は３次元座標と当該３次元座標における放射線量からなる放射線量データを取得し、表示レンジ取得部１１２はディスプレイ１３１に表示する放射線量の上限値及び下限値を取得する。色決定部１１３は上限値及び下限値の間の放射線量を複数の範囲に分割し、各範囲に表示する色を決定する。表示制御部１１４は決定した色を各３次元座標の位置に表示する。放射線量の上限値及び下限値は、ユーザがタッチパッド１３２に対して第１方向にスライド操作することにより上限値を変更し、第２方向にスライド操作することにより下限値を変更する。
【選択図】図１【図１】
0005777832.tif 000002
【図２】
0005777832.tif 000003
【図３】
0005777832.tif 000004
【図４】
0005777832.tif 000005
【図５】
0005777832.tif 000006
【図６】
0005777832.tif 000007
【図７】
0005777832.tif 000008